【事件の表示】
　特許第３００７４０５号「紙おむつ」の請求項１に係る特許に対する特許異議の申立てについて、次のとおり決定する。
【結　論】
　訂正を認める。
　特許第３００７４０５号の請求項１に係る特許を維持する。
【理　由】
Ｉ．手続の経緯
　特許第３００７４０５号は、平成２年１０月１６日に出願され、平成１１年１１月２６日に特許権の設定登録がなされ、特許掲載公報が平成１２年２月７日に発行され、その後、平成１２年８月４日付けで山林己美子より特許異議の申立てがなされ、取消理由通知がなされ、その指定期間内である平成１３年１月９日に意見書の提出と共に訂正請求がなされたものである。　
　
II．訂正の適否についての判断
(1)訂正の内容
・訂正事項ａ
　特許請求の範囲の請求項１の　
「透液性シートと不透液性シートと吸収体と有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは製品の中央線に向かって斜め内向きに起立する内向き起立部分と、この内向き起立部分から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分前記内向き起立部分に連なって製品の側外方に向かって斜めに起立するように構成されていることを特徴とする紙おむつ。」
という記載を、
「透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されていることを特徴とする紙おむつ。」
と訂正する。
・訂正事項ｂ
　明細書の発明の詳細な説明の２頁１６〜２９行（特許掲載公報３欄２６〜４５行）の
「透液性シートと不透液性シートと吸収体と有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは製品の中央線に向かって斜め内向きに起立する内向き起立部分と、この内向き起立部分から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
　これにより、前記内向き起立部分は製品の中央線に向かって斜め内向きに起立するようになり、前記翼部分前記内向き起立部分に連なって製品の側外方に向かって斜めに起立するように構成されている」
という記載を、　
「透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されている」
と訂正する。
・訂正事項ｃ
　明細書の発明の詳細な説明の５頁１５行（特許掲載公報５欄５０行）の
「以下中間」という記載を、「中間」と訂正する。
(2)訂正の目的の適否、新規事項の追加及び拡張・変更の存否
　訂正事項ａは、特許請求の範囲の請求項１において、バリヤーカフスの「内向き起立部分」が、「バリヤーカフスの中間位置まで起立部分」であることを明らかにし、かつ、「翼部分」が、「内向き起立部分の先端部における折曲位置から製品の側外方に向かって斜めに起立する」部分であることを明らかにするものであるから、特許請求の範囲の減縮に該当するものである。
　そして、前記訂正事項は、明細書２頁１６行〜５頁７行（特許掲載公報３欄２７行〜４欄５行）および図面に記載の事項であり、願書に最初に添付した明細書又は図面においても、同旨の記載がなされている（当初明細書４頁１０〜１８行、および図面）から、新規事項の追加ではなく、実質上特許請求の範囲を拡張し又は変更するものでもない。
　また、「透液性シートと不透液性シートと吸収体と有し」を「透液性シートと不透液性シートと吸収体とを有し」とする訂正事項については、「を」を挿入することにより構成の各要素を明らかにするものであるから、明りようでない記載の釈明に該当する。
　さらに、「前記翼部分前記内向き起立部分」を「前記翼部分は前記内向き起立部分」とする訂正事項については、「は」を挿入することにより主語を明らかにするものであるから、明りようでない記載の釈明に該当する。
  訂正事項ｂは、訂正事項ａと整合を図るものであるから、明りょうでない記載の釈明に該当する。
　訂正事項ｃは、「内向き起立部分」と「中間位置」との関係を明らかにするものであるから、明りょうでない記載の釈明に該当する。
（３）むすび
　したがって、訂正事項ａないしｃは、いずれも特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項および第３項の規定に適合するので、当該訂正を認める。
　
III．特許異議の申立てについての判断
(1)請求項１に係る発明
　本件請求項１に係る発明（以下、「本件発明」という。）は、前記訂正が認められた結果、平成１３年１月９日付けで提出された全文訂正明細書の特許請求の範囲の請求項１に記載された以下のとおりのものである。
「透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されていることを特徴とする紙おむつ。」
(2)申立ての理由の概要
　申立人山林己美子は、証拠として　
・甲第１号証：特開平２−１２６８５０号公報（平成２年５月１５日公開）
・甲第２号証：特開昭６４−６８５０３号公報（昭和６４年３月１４日公開）
を提出し、本件の請求項１に係る特許は以下の取り消し理由を有していると主張している。　
・取消理由１：本件発明は甲第１号証に記載された発明であるから、特許法第２９条第１項第３号の規定に違反して特許されたものである。
・取消理由２：本件発明は甲第１号証に記載された発明に基づいて当業者が容易に発明をすることができたものであるから、特許法第２９条第２項の規定に違反して特許されたものである。
・取消理由３：本件発明は甲第２号証に記載された発明であるから、特許法第２９条第１項第３号の規定に違反して特許されたものである。
・取消理由４：本件発明は甲第２号証に記載された発明に基づいて当業者が容易に発明をすることができたものであるから、特許法第２９条第２項の規定に違反して特許されたものである。
(3)申立人が提出した甲各号証の記載事項
・甲第１号証
ア）「透液性シートと不透液性シートとの間に吸収体が介在された紙おむつにおいて；
　紙おむつの両側に表面がわに突出するバリヤーカフスを有し、このバリヤーカフスに沿って伸縮弾性手段を有し、バリヤーカフスの前後端がその突出長さの中間において外方に折り返され、この折り返し重ね面が固着され、少なくとも折り返し先端がわに前記伸縮弾性手段を有していることを特徴とする紙おむつ。」（特許請求の範囲請求項１）
イ）「本発明では、バリヤーカフスの前後端がその突出長さ全長にわたって折り返すのではなく、突出長さの中間において外方に折り返されているので、バリヤーカフスの先端は外方に向き、脚への追従性に優れ、また基部は内方に向くので、ポケットが形成され大便の横漏れを確実に防止できる。」（２頁右上欄２〜７行）
ウ）「紙おむつを装着した場合において、伸縮弾性部材１２の収縮力によって、バリヤーカフス１０が収縮するときであっても、バリヤーカフス１０全体が内側に倒れることがなく、起立状態にあり、しかもバリヤーカフス１０の起立先端側は紙おむつ前後の展開力によってやや外側に向かうように起立する。この状態で、着用者Ｂの肌が当たると、第２図仮想線で示すように、バリヤーカフスの起立先端側が外側に寝るようになり、そこにある伸縮弾性部材１２の復元力によって着用者Ｂの肌に柔らかく当たるようになる。」（２頁左下欄１８行〜右下欄９行）
エ）「伸縮弾性部材１２は、少なくとも折り返し先端がわＬ１，に存在すればよい。したがって、基部がわＬ２，に存在してもよい。」（２頁右下欄１０〜１２行）
オ）「バリヤーカフス１０のカフスシート１１側縁は吸収体の側縁近くにおいて透液性シート２上にホットメルトなどの接着剤（以下の接着剤もホットメルトである）Ａによって固着されている。カフスシート１１の幅はかなり広く、外側から内側に折り返され、バリヤーカフス１０のほほ２／３程度が２重になっている。この重ね合わせ部分内の先端がわには、糸ゴムなどの伸縮弾性部材１２が１本または複数本、図示例では４本伸長状態で設けられ、接着剤Ａによって固着されている。」（２頁左下欄２〜１１行）
カ）第２図には、サイドフラップから上方へ延びるバリアカフス１０が、接着部Ａから製品内方へ向かい、その後に外方へ向かうように形成されており、該バリアカフス１０における外方へ向かう部位に、該バリアカフス１０の先端部まで伸縮弾性部材１２が配されている状態が記載されており、また、第１図には、バリアカフス１０の前後端がＸで示される位置において固着されている状態が記載されている。
キ）第６〜１４図には、バリアカフスが「くの字」に折れ曲がっており、これによって該バリアカフスが、製品内方へ向かう部位と、折れ曲がり点を境にして外方へ向かう部位とを有し、該外方へ向かう部位に複数の弾性部材が配されている状態が記載されている。
・甲第２号証
ク）「液透過性トップシートと、液不透過性バックシートと、該両シート間に介在する吸収体と、弾性部材によって伸縮する防漏手段を備える使い捨てオムツにおいて、
　前記防漏手段は、可撓性フラップと、弾性部材とからなり、
　前記フラップは、オムツから上方向に突出する第１分岐部と、該第１分岐部から内方向に張り出す第２分岐部と、該第１分岐部から外方向に張り出す第３分岐部とからなり、かつ、
　前記弾性部材は前記第２および第３分岐部に位置している
　ことを特徴とする前記オムツ。」（特許請求の範囲第１項）
ケ）「第２図Ａに示すように、オムツはフラップ５の縦方向に延びる第２のフラップ７を備える。フラップ７は、１枚のシートでＴ型のスリーブ状に形成され、フラップ５の上面に固定された第１分岐部８と、該第１分岐部の上端部から内方向に張り出す第２分岐部９と、該第１分岐部から外方向に張り出す第３分岐部１０とからなる。第２および第３分岐部９，１０中には、比較的幅広い弾性部材１１が介在せしめられている。」（３頁左上欄１３行〜右上欄１行）
コ）「第２および／または第３分岐部９，１０は、その長さ方向両端部またはオムツの前側区域における長さ方向一端部においてフラップ５に固定されていることが好ましい。」（３頁右上欄３〜６行）
サ）「本発明は、以上のように、防漏手段としての特殊な形態のフラップを備え、該フラップの一部を構成する第２分岐部が通常、大腿間の部位ではなく大腿に弾性的に密着するから、該第２分岐部によって形成されたポケットの開□状態が着用者の姿勢などによる影響を受けることが少なく、十分に維持される。したがって、該ポケットによって排池物、とくに流動性便・尿の流出を十分に受止することができる。同時に、該第２分岐部と近接して位置する第３分岐部も大腿に弾性的に密着するため、両分岐部があいまって排池物の漏れ防止としての優れたシール効果がえられる。」（４頁左下欄１７行〜右下欄８行）
シ）第４図〜第６図には、フラップ７の第２分岐部９が、おむつの中央線に向かって斜め内向きに起立しており、第３分岐部１０が、第２分岐部９からおむつの側外方に向かって斜めに起立している状態が記載されている。また第２分岐部９及び第３分岐部１０それぞれの先端部に弾性部材１１が固定されている状態が記載されている。更に、第３分岐部１０の先端部に固定されている弾性部材１１が、おむつの側外方に位置しており、第２分岐部９の先端部に固定されている弾性部材１１が、おむつの中央線に向かう内方に位置している状態が記載されている。
(4)当審の判断
１）取消理由１および２について
  本件発明と甲第１号証記載の発明とを対比すると、両者は、透液性シートと不透液性シートと吸収体とを有し、紙おむつの前後方向に沿う弾性伸縮部材の収縮力により紙おむつの表面がわに突出したバリヤーカフスを両側部に有する紙おむつであって、バリヤーカフスがバリヤーシートと弾性伸縮部材とを構成要素としている点で共通するものであるが、バリヤーカフスの具体的構成において相違するものである。すなわち、本件発明のバリヤーカフスは、「その中間位置まで製品の中央線に向かって斜め内向きに起立する内向き起立部分と、この内向き起立部分の先端部における折曲位置から製品の側外方に向かって斜めに起立する翼部分とを有し、前記翼部分のバリヤーシート先端部には第１の弾性伸縮部材が固定され、前記内向き起立部分の先端部には第２の弾性伸縮部材が固定され、前記第１の弾性伸縮部材は製品の側外方に、第２の弾性伸縮部材は製品の中央線に向かう内方に位置して、それぞれ製品の前後方向端部に固定され」ているのに対し、甲第１号証記載の発明のバリヤーカフスは、表面シート２０とカフスシート１１との接合開始線の位置において、カフスシート１１の前後端部において折り返すことにより、先端がわＬ１と基部がわＬ２とに区分されるものであり、伸縮弾性部材１２は先端がわＬ１には存在するが、基部がわＬ２と先端がわＬ１の境界には存在しない。このバリヤーカフスの構成の違いにより、本件発明は、製品の中央線に向かって中間位置まで斜め内向きに起立する内向き起立部分と、この内向き起立部分の先端部における接曲位置から製品の側外方に向かって斜めに起立する翼部分とが区分されるのに対し、甲第１号証記載の発明は、斜め内向きに起立する内向き起立部分と側外方に向かって斜めに起立する翼部分とが区分なく起立するものである。
　そして、本件発明は甲第１号証にはない前記構成を有することにより、バリヤーカフスの位置ずれが少なく横洩れを防ぐことができるとともに、着用性および着用者に対する追従性が良好となるという優れた効果を奏するものである。
　申立人は、甲第１号証の記載エは、伸縮弾性部材１２が基部がわＬ２と先端がわＬ１の境界に存在することを示唆するものである旨主張するが、この記載は基部がわＬ２に伸縮弾性部材１２が存在してもよいことを示すものの、内向き起立部分と翼部分とを区分するように「内向き起立部分の先端部」たる特定の位置に第２の弾性伸縮部材を有することまで開示や示唆するものではなく、単に、バリヤーカフスの起立状態において、起立基端から中央線に向かう湾曲端部までの間の根元側に、第２の弾性伸縮部材を設けることを開示するに留まるものであるから、この主張は採用できない。
　したがって、本件発明は、甲第１号証記載の発明であるとも、甲第１号証記載のものから当業者が容易に発明をすることができたものであるともいえず、本件請求項１に係る特許は、特許法第２９条第１項第３号または同法第２９条第２項の規定に違反してなされたものではない。
２）取消理由３および４について
  本件発明と甲第２号証記載の発明とを対比すると、後者には、本件発明を特定する事項である、「バリアーカフスは、その中間位置まで製品の中央線に向かって斜め内向きに起立する内向き起立部分と、この内向き起立部分の先端部における折曲位置から製品の側外方に向かって斜めに起立する翼部分とを有し、前記翼部分のバリヤーシート先端部には第１の弾性伸縮部材が固定され、前記内向き起立部分の先端部には第２の弾性伸縮部材が固定され、前記第１の弾性伸縮部材は製品の側外方に、第２の弾性伸縮部材は製品の中央線に向かう内方に位置して、それぞれ製品の前後方向端部に固定され」る点が開示も示唆もされていない。
　本件発明は甲第２号証にはない前記構成を有することにより、バリヤーカフスの位置ずれが少なく横洩れを防ぐことができるとともに、着用性および着用者に対する追従性が良好となるという優れた効果を奏するものである。
  申立人は、本件発明においては、翼部分が内向き起立部分の先端から起立することを限定していない旨主張するが、この点は訂正請求により「内向き起立部分の先端部における接曲位置から製品の側外方に向かって斜めに起立する翼部分とを有し」と限定されたことにより、理由のない主張となった。
　したがって、本件発明は、甲第２号証記載の発明であるとも、甲第２号証記載のものから当業者が容易に発明をすることができたものであるともいえず、本件請求項１に係る特許は、特許法第２９条第１項第３号または同法第２９条第２項の規定に違反してなされたものではない。
(5)むすび
　したがって、特許異議の申立ての理由及び証拠によっては、本件特許請求の範囲の請求項１に係る特許を取り消すことはできない。また、他に本件特許請求の範囲の請求項１に係る特許を取り消すべき理由を発見しない。
　よって、結論のとおり決定する。
【異議決定日】
平成１３年１月２４日（２００１．１．２４）
【訂正の要旨】
訂正の要旨
　特許第３００７４０５号発明の明細書を、
（Ａ）特許請求の範囲の減縮および明りょうでない記載の釈明を目的として、請求項１の
「透液性シートと不透液性シートと吸収体と有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは製品の中央線に向かって斜め内向きに起立する内向き起立部分と、この内向き起立部分から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分前記内向き起立部分に連なって製品の側外方に向かって斜めに起立するように構成されていることを特徴とする紙おむつ。」
という記載を、
「透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されていることを特徴とする紙おむつ。」と訂正する。
（Ｂ）明りょうでない記載の釈明を目的として、
１）明細書の発明の詳細な説明の２頁１６〜２９行（特許掲載公報３欄２６〜４５行）の
「透液性シートと不透液性シートと吸収体と有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは製品の中央線に向かって斜め内向きに起立する内向き起立部分と、この内向き起立部分から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
　これにより、前記内向き起立部分は製品の中央線に向かって斜め内向きに起立するようになり、前記翼部分前記内向き起立部分に連なって製品の側外方に向かって斜めに起立するように構成されている」
という記載を、
「透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されている」
と訂正し、
２）明細書の発明の詳細な説明の５頁１５（特許掲載公報５欄５０行）の
「以下中間」
という記載を、
「中間」
と訂正する。
（５４）【発明の名称】
紙おむつ
（５７）【特許請求の範囲】
（１）透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
　これにより、前記内向き起立部分は製品の中央線に向かって斜め内向きに起立するようになり、前記翼部分は前記内向き起立部分に連なって製品の側外方に向かって斜めに起立するように構成されていることを特徴とする紙おむつ。
【発明の詳細な説明】
〔産業上の利用分野〕
　本発明は、バリヤーカフスを有する紙おむつに関する。
〔従来の技術〕
　近年、バリヤーカフスを有する紙おむつが提案され、一部実用に供されているものもある。
　この種の紙おむつは、軟便の横漏れをバリヤーカフスで堰止めようとするものである。
　その代表的な具体例として、特開昭６２−２５０２０１号、同６２−２３１００４号公報などに記載の技術が提案されている。この場合、バリヤーカフスとともにガスケットカフスをバリヤーカフスの外側に設けることも知られている。いずれにしても、従来の紙おむつのバリヤーカフスは、その幅方向に対して基本的に一つの弾性伸縮部材を有し、かつ単にバリヤーカフスが内方にまたは鉛直的に突出するものである。
〔発明が解決しようとする課題〕
　前記バリヤーカフスは軟便を堰止めるために有効であるが、単にバリヤーシートが外方から内方に斜めに突出するまたは鉛直的に起立する形態では、紙おむつの装着の際に、そのバリヤーカフスの内縁部が正規の位置から幅方向にずれると、軟便の横漏れが生じがちである。
　さらに、軟便または尿の横漏れを確実に防止するためにバリヤーカフスの内側縁を強く着用者に対してフィットさせるようにすると、着用者の肌を傷めることになる。
　したがって、本発明の主たる課題は、着用者の肌に対して弱くフィットさせたとしても、軟便または尿の横漏れを確実に防止できるようにすること、およびバリヤーカフスの幅方向にずれが基本的にないまたは少ないようにすることにある。
〔課題を解決するための手段〕
　上記課題は、透液性シートと不透液性シートと吸収体とを有し、さらに紙おむつの前後方向に沿う弾性伸縮部材の収縮力により紙おむつの表面がわに突出したバリヤーカフスを両側部に有する紙おむつにおいて、
　前記バリヤーカフスはバリヤーシートと弾性伸縮部材とを構成要素とし、
　前記バリヤーカフスは、その中間位置まで製品の中央線に向かって斜め内向きに起立する内向き起立部分と、この内向き起立部分の先端部における折曲位置から製品の側外方に向かって斜めに起立する翼部分とを有し、
　前記翼部分のバリヤーシート先端部には第１の弾性伸縮部材が固定され、前記内向き起立部分の先端部には第２の弾性伸縮部材が固定され、
　前記第１の弾性伸縮部材は製品の側外方に、第２の弾性伸縮部材は製品の中央線に向かう内方に位置して、それぞれ製品の前後方向端部に固定され、
これにより、前記内向き起立部分は製品の中央線に向かって斜め内向きに起立するようになり、前記翼部分は前記内向き起立部分に連なって製品の側外方に向かって斜めに起立するように構成されていることで解決できる。
〔作用〕
　本発明においては、第２の弾性伸縮部材の存在により、バリヤーカフスの基部部分がある高さ位置（以下中間位置ともいう）まで内方に向かって起立する。これに対して、外方に位置する第１の弾性伸縮部材の存在により、バリヤーシートの側縁が外方に向かって斜めに起立する。
　したがって、前記中間位置からバリヤーシートの側縁までの領域が斜め外方に翼を張り出した形態の領域となる。
　その結果、後述のように、着用者に対するフィット性を高め、かつバリヤーカフスの位置ずれなどを防止するなどの利点がもたらされる。
〔実施例〕
　以下本発明を図面を参照しながらいくつかの実施例によりさらに詳説する。
　第１図〜第４図は第１実施例を示している。
　本発明に係る紙おむつでは、ポリエチレン等からなる不透液性シート１と、前記不透液性シート１より幅が狭い不織布等からなる透液性シート２との間に、綿状パルプ等からなる、たとえば砂時計形のある程度剛性を有する吸収体３が介在されている。
　吸収体３は、その形状保持のためにリップ溝型の吸収紙（図示せず）により包まれている。この吸収体３の側方において、不透液性シート１と好ましくは疎水性のバリヤーシート６とがホットメルト接着剤により接合され（接合部は平面図ではハッチング、横断面図では斜格子により示されている）、吸収体３の存在しないフラップが形成されている。
　他方、紙おむつの両側部には、バリヤーカフスＢ、Ｂを有し、このバリヤーカフスＢはバリヤーシート６と糸ゴムなどからなる弾性伸縮部材７Ａ、７Ｂとを基本構成要素としている。
　実施の形態においては、バリヤーシート６は、不透液性シート１の側縁まで延在しており、外側部のみが不透液性シート１にホットメルト接着剤により固着され、それより内側は透液性シート２に対して非固着となっている。
　バリヤーシート６は、その幅方向中間に、後述する表面シート５との間に固着された第２の弾性伸縮部材７Ｂを有するとともに、自由側縁部に第１の弾性伸縮部材７Ａを有する。
　一方、表面シート５は、その幅方向中間部分が透液性シート２にホットメルト接着剤などにより固定されているとともに、その両側は透液性シート２に固定されておらず、自由部分となり、その代わりにバリヤーシート６の起立部分の中間に、第２の弾性伸縮部材７Ｂ、７Ｂ、７Ｂを介在させて固定されている。
　前記の第１および第２の弾性伸縮部材７Ａ、７Ｂは紙おむつの前後方向端部にホットメルト接着剤などにより固定され、かつ第１の弾性伸縮部材７Ａは紙おむつの側方に、第２の弾性伸縮部材７Ｂは紙おむつの内方に位置している。
　前記バリヤーシート６としては、疎水性であると、尿および軟便の液分の横漏れをより防止できる。ただし、バリヤーシート６が疎水性であっても、通気性を有することが望ましい。このようなバリヤーシート６を形成するためには、材質的に撥水処理した不織布を用いればよい。あるいは、プラスチックシートにより形成してもよい。
　なお、８は通気性で、かつ非透液性のポリウレタン発泡体等からなる弾性伸縮性の腰バンドで、シート１、５間に介在されている。９は止着テープである。
　前記の透液性シート２は、ほぼ吸収体３の幅をもって配設されている。この透液性シート２は主に尿を拡散させる機能を有する。また、この透液性シート２の両側部表面と、不透液性シート１の前記接合部より内側位置とに跨がる幅をもってポリエチレンなどの不透液性帯１１が長手方向に延在している。この不透液性帯１１と不透液性シート１との間には、糸ゴムなどからなる一本または図示の例のように複数本の屈曲変形用弾性伸縮部材４、４がホットメルト接着剤により固着されながら介在されている。したがって、この不透液性帯１１によって、透液性シート２を伝わって漏れようとする尿をこの接合部において阻止することができ、同時に、前記ホットメルト接着剤の惨み出しも阻止することができる。また、前記屈曲変形用弾性伸縮部材４、４が設けられているため、その変形に伴って吸収体３の側部が起立変形するので、吸収体３がＵ字状のポケットを構成し、排泄物の貯留、吸収効果を高める効果がある。しかも元来半剛性を示す吸収体３が起立するので、バリヤーカフスＢが容易に起立するようになり、バリヤーカフスＢの起立端部が良好に着用者の肌に密着するようになる効果もある。
　本発明に係る紙おむつは、着用時において、紙おむつの前後が各弾性伸縮部材４、７Ａ、７Ｂの収縮力により、舟型に湾曲する。その結果、第４図のように、バリヤーカフスＢ、Ｂが起立するようになる。この起立により、バリヤーシート６の内向き起立部分とその起立に伴う表面シート５の自由部分とでほぼ台形の空間が形成され、これが軟便のポケット空間Ｐが形成となる。
　本発明においては、軟便を前記ポケット空間Ｐ内に透過させるために、バリヤーカフスＢを構成する表面シート５の起立部分に軟便透過口５０を形成するのが好ましい。この軟便透過口５０の形成態様としては、製造段階で、好ましくは表面シート５単体に対して、紙おむつの組立工程とは別ラインまたは前の段階で、予めダイカッターなどにより所定の開口面積をもって開口を形成しておくことができる。
この軟便透過口５０の形状としては、円や楕円など適宜の形状とすることができる。
　さて、本発明においては、特に第２図および第４図に示されているように、第２の弾性伸縮部材７Ｂ、７Ｂ、７Ｂの存在により、表面シート５両側の自由部分の幅方向長さとの関連で、バリヤーカフスＢの基部部分、すなわち内向き起立部分が中間位置まで内向きに斜めに起立する。これに対して、紙おむつの外方に位置する第１の弾性伸縮部材７Ａの存在により、バリヤーシート６の自由側縁が外方に向かって斜めに起立する。
　したがって、前記中間位置からバリヤーシート６の側縁までの領域が斜め外方に翼を張り出した形態の領域となる。
　かくして、本発明に係る紙おむつを着用した場合、前記の翼部分が着用者の肌に接触するとともに、中間部分における第２の弾性伸縮部材７Ｂ、７Ｂ、７Ｂの配設によりバリヤーシート６の中間部も肌に接触する。
　尿または便の排泄は、バリヤーカフスＢ、Ｂ間になされ、尿および軟便の水分は、表面シート５および透液性シート２を介して、吸収体３内に吸収される。
　軟便については、好ましくは、通常、第１の弾性伸縮部材７Ａの収縮力より第２の弾性伸縮部材７Ｂ、７Ｂ、７Ｂの収縮力が強くされるので、主にバリヤーシート６の中間部において阻止され、これを超えることが防止される。しかし、従来は着用者の動きにより、バリヤーカフスの幅方向ずれが問題であったのに対して、本発明においては、たとえバリヤーシート６の中間部が横ずれしたとしても、前記の翼部分が着用者の肌に常に接触しているので、バリヤーシート６の中間部を軟便が超えることがあっても、翼部分と肌とが接触しているので、結果的には第１の弾性伸縮部材７Ａを超えることはなく、横漏れを防止できる。
　さらに、バリヤーカフスＢの起立高さは、バリヤーシート６の側縁に配設された第１の弾性伸縮部材７Ａにより、より高くなる。その結果、軟便透過孔５０を形成した場合において、より大きく開口するようになる。
　他方で、軟便の横漏れについては、バリヤーカフスの幅を広くすることが考えられるが、この場合には、正規に装着しないと、そのバリヤーカフスの位置の横ずれにより、本来の機能が生じないことが度々あるのに対して、本発明に従って、横断面く字状にバリヤーカフスを形成することにより、横ずれによっても、本来の軟便阻止効果が大きい。また、翼部分全体が着用者の肌に接触しており、その摩擦力により、着用者の動きが激しくとも、良好に追従し、横漏れを防止する。さらに翼部分が外側に開いているので、着用したとき、翼部分が着用者の肌に接触し、装着不良を生じることがない。
　上記第１実施例においては、バリヤーシート６は一枚のシートにより形成してあるが、第５図のように、中間位置までの第２バリヤーシート６Ｂとそこから側縁に至る第１のバリヤーシート６Ａとに分け、これらを接合することもできる。第６図の第３実施例は、内方から見れば、階段状に形成したものである。
　第７図は、表面シート５の自由部分を幅方向に長く取り、これをバリヤーシートととして利用するようにしたものである。
　第８図は翼部分において、バリヤーシート６を折り返して二重にした例である。
　第９図は第６図の例に対する変形例を示す。
　さらに、本発明において、表面シート５の配設を必須とするものではなく、第１０図のように、バリヤーシート６のみで、バリヤーカフスＢを形成することもできる。
〔発明の効果〕
　以上の通り、本発明によれば、バリヤーカフスの位置ずれが少なく横漏れを防ぐことできるとともに、着用性および着用者の動きに対する追従性が良好となる。
【図面の簡単な説明】
　第１図は本発明に係る紙おむつの展開状態平面図、第２図はその一部斜視図、第３図は第１図における産ＩＩＩ−ＩＩＩ線矢視図、第４図は同ＩＶ−ＩＶ線矢視図、第５図〜第１０図は変形例の概要断面図である。
　１・・・不透液性シート、２・・・透液性シート、３・・・吸収体、４・・・屈曲用伸縮弾性部材、５・・・表面シート、６・・・バリヤーシート、６Ａ・・・第１のバリヤーシート、６Ｂ・・・第２のバリヤーシート、７Ａ・・・第１弾性伸縮部材、７Ｂ・・・第２弾性伸縮部材、５０・・・軟便透過口、Ｂ・・・バリヤーカフス、Ｐ・・・ポケット空間